(57)【要約】      （修正有）【課題】グリップテープの表面全面にカラフルでデザイン性に富んだ印刷を施すと同時に、滑り止め効果と吸水性とを損ねることのないグリップテープを提供する。【解決手段】グリップテープ本体１の基材部の表面の全面に印刷部２を備え、印刷部２の全面には小孔を複数配置して形成するとともに、小孔は、基材部が表面側に露出するように貫通開口して形成して吸水性を確保し汗の吸収を妨げず滑り止め効果を損なうことを防止する。【選択図】図１
0003219995.tif 000002
【実用新案登録請求の範囲】
【請求項１】
スポーツ用具や工具、その他の物品のグリップに巻き付けて、滑り止め、吸汗、クッション、衝撃吸収、太さ調整、ファッション性向上などの目的で使用するグリップテープであって、グリップテープの基材部の表面の全面に印刷部を備え、該印刷部の全面に小孔を複数配置して形成したことを特徴とするグリップテープ。
【請求項２】
スポーツ用具や工具、その他の物品のグリップに巻き付けて、滑り止め、吸汗、クッション、衝撃吸収、太さ調整、ファッション性向上などの目的で使用するグリップテープであって、グリップテープの基材部の表面の全面に印刷を備え、該印刷部の全面に小孔を複数配置して形成し、小孔は、基材部が表面側に露出するように貫通開口したことを特徴とするグリップテープ。
【請求項３】
印刷部の全面に形成された小孔全体を合わせた面積は、印刷部全体の面積に対して、３０％から５０％で形成したことを特徴とする請求項１及び請求項２の何れかに記載のグリップテープ。
【考案の詳細な説明】
【技術分野】
【０００１】  本考案は、スポーツ用具や工具などの物品のグリップ部分に巻き付けて使用するグリップテープに関し、特にグリップテープの表面全面に装飾のための印刷を施したグリップテープに関する。
【背景技術】
【０００２】  従来、テニス用ラケット、卓球用ラケット、野球やソフトボール、クリケット用バット、ホッケー用スティック、ゴルフクラブなどのスポーツ用具、ストレッチなどの健康器具、ハンマーやノコギリなどの工具、釣り竿、自転車など乗り物などのグリップ部分に巻き付けて使用されるグリップテープがよく知られている。グリップテープは、一般的にポリエステル不織布にＰＵ（ポリウレタン）コーティングを施したもので、粘着性、吸水性、クッション性を有し、滑り止め、吸汗、衝撃吸収、太さ調整などの目的で使用される。例えば、特公平３−１２５４６号公報（特許文献１）に開示された「グリップテープ」を一般的なグリップ保護テープの一般的な技術として示す。【０００３】  また、これらのグリップテープの表面には、ブランドロゴ、マーク、チームロゴ、あるいは単に前記の名称や必勝などの適宜な文字がシルク印刷や箔押しなどで施されている。また、意匠性を高めるためにグラビア印刷を施したグリップ保護テープもある。例えば、特開２００９−２８２５０号公報（特許文献２）「グリップテープ」の段落番号００４０を参照。
【先行技術文献】
【特許文献】
【０００４】
【特許文献１】特公平３−１２５４６号公報
【特許文献２】特開２００９−２８２５０号公報
【考案の概要】
【考案が解決しようとする課題】
【０００５】  ところで、グリップテープの表面に印刷を施す場合は、水性などのインクを使用するために印刷された部分の吸水性が悪化して汗を吸収しずらくなり、グリップ力が低下するといった課題があった。このため、滑り止め効果の低下を避けるため、印刷を施す部分は、一部分だけであったり小さな柄を点在させたりするなどして、グリップテープ表面全体の一部分に抑える必要があり、グリップテープの表面全面に印刷を施すことができなかった。【０００６】  そこで本考案は、上記課題を解消し、グリップテープの表面全面にカラフルでデザイン性に富んだ印刷を施すと同時に、滑り止め効果と吸水性とを損ねることのないグリップテープを提供することを目的とする。
【課題を解決するための手段】
【０００７】  上記の課題は本考案の請求項１によれば、スポーツ用具や工具、その他の物品のグリップに巻き付けて、滑り止め、吸汗、クッション、衝撃吸収、太さ調整、ファッション性向上などの目的で使用するグリップテープであって、グリップテープの基材部の表面の全面に印刷部を備え、該印刷部の全面に小孔を複数配置して形成したことで解決される。【０００８】  上記の課題は本考案の請求項２によれば、スポーツ用具や工具、その他の物品のグリップに巻き付けて、滑り止め、吸汗、クッション、衝撃吸収、太さ調整、ファッション性向上などの目的で使用するグリップテープであって、グリップテープの基材部の表面の全面に印刷を備え、該印刷部の全面に小孔を複数配置して形成し、小孔は、基材部が表面側に露出するように貫通開口していることで解決される。【０００９】  上記の課題は本考案の請求項３によれば、印刷部の全面に形成された小孔全体を合わせた面積は、印刷部全体の面積に対して、３０％から５０％で形成したことで解決される。
【考案の効果】
【００１０】  本考案によれば、スポーツ用具や工具、その他の物品のグリップに巻き付けて、滑り止め、吸汗、クッション、衝撃吸収、太さ調整、ファッション性向上などの目的で使用するグリップテープであって、グリップテープの基材部の表面の全面に印刷部を備え、該印刷部の全面には小孔を複数配置して形成するとともに、小孔は、基材部が表面側に露出するように貫通開口して形成したので、一般的な吸水性のないインクを使用して印刷したとしても、小孔によって十分な吸水性を確保して汗の吸収を妨げず滑り止め効果を損なうことがない。また、小孔は微細な孔なので、印刷部を普通に視認したときに小孔自体を明確に視認できるものではなく、フルカラーでグラデーションなど表現力が豊かな印刷、小ロット、低コストでの生産が可能なので容易に少量多品種のバリエーションを展開することが可能となった。
【図面の簡単な説明】
【００１１】
【図１】本考案の実施例を示す正面図である。
【図２】図１におけるＡ−Ａ線断面図である。
【図３】印刷部の拡大図である。
【図４】小孔の他の形状例を示す拡大図である。
【考案を実施するための形態】
【００１２】  本考案のグリップテープの実施例について、図面を参照して詳細に説明する。図１は、本考案の実施例を示す正面図、図２は、図１におけるＡ−Ａ線断面図、図３は、印刷部の拡大図である。
【００１３】  図１及び図２に示されるようにグリップテープの本体（１）は、ポリエステル製不織布にＰＵコーティングを施した基材部（１ａ）の表面（１ｂ）の全面に、印刷を施して印刷部（２）を形成している。また、グリップテープの本体（１）の基材部（１ａ）は、基材の特性として適度な粘着性と吸水性、クッション性を有しており、滑り止め、吸汗、クッション、衝撃吸収、太さ調整などの効果を得ることができる。
【００１４】  また、印刷部（２）は、フルカラーでグラデーションなど表現力が豊かな印刷をするためと小ロット、低コストで生産するために、ＵＶなどのインクジェットプリンターが好適に選択される。もちろん他の印刷方法である昇華転写、グラビア印刷、シルク印刷など印刷方法を限定するものではないが、フルカラーでグラデーションなど表現力が豊かな印刷を小ロットかつ低コストで生産するには好適ではない。
【００１５】  図３は、印刷部（２）の拡大図であって、正面図から見た印刷面を拡大して表した図である。本考案のグリップテープの本体（１）は、印刷部（２）の全面に小孔（２ａ）を複数配置して開孔したことを特徴としている。また、小孔（２ａ）は、本体（１）の基材部（１ａ）が表面側に露出するように貫通開口して形成されているので、本体（１）を物品のグリップに巻き付けて使用したときに小孔（２ａ）によって十分な吸水性を確保して汗の吸収を妨げず滑り止め効果を損なうことがない。
【００１６】  図３（ア）（イ）（ウ）（エ）に示されるのは、印刷部（２）に開孔形成された小孔（２ａ）のバリエーションを示したものである。図３（ア）（イ）（ウ）（エ）中、黒色で表された部分が小孔（２ａ）であり、本体（１）の基材部（１ａ）が表面側に露出するように貫通開口して形成されている。図３（ア）はストライブ状、図３（イ）は丸ドット状、図３（ウ）は四角ドット状、図３（エ）はクロス状でパターン柄として複数整列配置したものである。なお、小孔（２ａ）の形状は図３に示した形状に限定されるものではなく他に想定される様々な形状で構わない。
【００１７】  また、小孔（２ａ）は、本体（１）の印刷部（２）を普通に視認したときに明確に視認できるものではなく、かつフルカラーで豊かな表現で印刷されたイラストや柄などの印刷部（２）の外観を損なわないサイズであること、さらに、物品のグリップに本体（１）を巻き付けて使用したときに十分な吸水性を確保して吸汗を損なわないという条件を満たせば、特にそのサイズを限定するものではない。例えば図３（イ）の丸ドットであれば概ね直径が０．５ｍｍ以下の極めて微細な小孔、図３（ウ）の四角ドットであれば概ね一辺が０．５ｍｍ以下の極めて微細な小孔で、小孔（２ａ）全体を合わせた面積は、印刷部（２）全体の面積に対して、概ね３０％から５０％程度で形成されれば、印刷部（２）の外観と吸水性を損なうことはない。
【００１８】  小孔（２ａ）が開孔された印刷部（２）の印刷データ（版下）は、小孔（２ａ）のパターン柄部分をイラストや柄などの部分と合成して、孔を開けることによって容易に作成が可能である。前述したように、ＵＶなどのインクジェットプリンターを用いて印刷をすれば特に色別の版を作成することなく単に印刷データをプリンターに送るだけで出力が可能である。
【００１９】  図４は、小孔（２ａ）の他の形状例を示す拡大図である。図３において小孔（２ａ）は、ストライプやドットなどのパターン柄として印刷部（２）の全面に形成したが、図４に示される小孔（２ａ）は、一例として樹木の柄の枝に沿ったような形状の小孔（２ａ）を形成したものである。このようにイラストや柄に合わせた形状の小孔（２ａ）を形成したり、図３に示されたパターン柄と組み合わせて形成しても良い。これによって、フルカラーで豊かな表現で印刷されたイラストや柄などの印刷部（２）の外観を損なうことなく、印刷部（２）の全面に開孔形成された小孔（２ａ）によって、吸水性が確保され、汗の吸収を妨げず滑り止め効果を損なうことがない。
【符号の説明】
【００２０】１          本体
１ａ        基材部
１ｂ        表面
１ｂ        裏面
２          印刷部
２ａ        小孔
【図１】
0003219995.tif 000003
【図２】
0003219995.tif 000004
【図３】
0003219995.tif 000005
【図４】
0003219995.tif 000006